(57)【要約】【課題】各部品を平面状に折り畳んで収納することができ、液体洗剤などの重い商品でも陳列することができる紙製陳列棚を提供する。【解決手段】背部壁１７と背部壁１７の両側に各々連設される側部壁１８とを備え、折り畳み可能な陳列棚本体２と、側部壁１８に固定される折り畳み可能な上段棚枠６、中段棚枠７、下段棚枠８と、上段棚枠６、中段棚枠７、下段棚枠８に載置され陳列物が陳列される上段棚板９、中段棚板１０、下段棚板１１とを備えた紙製陳列棚１において、上段棚枠６、中段棚枠７は平面状に形成された下向きの係合部３８を備えており、係合部３８が、側部壁１８に形成され上向きに開口した空間４２に係合して、係合部３８の基端部が空間４２の周縁部に当接した状態で、上段棚枠６、中段棚枠７が側部壁１８に固定される。【選択図】図１
2015154795.tif 000002
【特許請求の範囲】
【請求項１】
背板と前記背板の両側に各々連設される側板とを備え、折り畳み可能な陳列棚本体と、
前記側板に固定される折り畳み可能な棚枠と、
前記棚枠に載置され陳列物が陳列される棚板とを備えた紙製陳列棚において、
前記棚枠は平面状に形成された下向きの係合部を備えており、前記係合部が、前記側板に形成され上向きに開口した孔部に係合して、前記係合部の基端部が前記孔部の開口部の周縁部に当接した状態で、前記棚枠が前記側板に固定されることを特徴とする紙製陳列棚。
【請求項２】
請求項１に記載の紙製陳列棚であって、
前記係合部の基端部は折曲線が設けられており、前記係合部は前記折曲線で折り曲げられていることを特徴とする紙製陳列棚。
【請求項３】
請求項１または２に記載の紙製陳列棚であって、
前記孔部の周縁部は、段ボールの波形形状に沿って切断した横断面で形成されていることを特徴とする紙製陳列棚。
【請求項４】
請求項１〜３のいずれか1項に記載の紙製陳列棚であって、
前記側板は段ボールをコの字状に折り曲げて形成されており、前記孔部は前記側板の内側に形成される空間であることを特徴とする紙製陳列棚。
【請求項５】
背板と前記背板の両側に各々連設される側板とを備え、折り畳み可能な棚部材本体と、
前記側板に固定される折り畳み可能な棚枠と、  
前記棚枠に載置され陳列物が陳列される棚板とを備えた紙製陳列棚において、
前記側板は平面状に形成された上向きの係合部を備えており、前記係合部が、前記棚枠に形成され下向きに開口した孔部に係合して、前記係合部の基端部が前記孔部の周縁部に当接した状態で、前記棚枠が前記側板に固定されることを特徴とする紙製陳列棚。
【請求項６】
請求項５に記載の紙製陳列棚であって、
前記孔部は前記棚枠の底面角部に形成されており、
前記棚枠の側壁は、外壁部と、外壁部に連設され外壁部の内側に折り曲げられた内壁部とを備えており、前記孔部に係合した係合部は前記外壁部と前記内壁部との間に挿通されることを特徴とする紙製陳列棚。
【請求項７】
請求項５または６に記載の紙製陳列棚であって、
前記底面は、一方の対向する角部を連結する対角線上に形成された切り込みによって、第１の底部と第２の底部とに分割されており、
前記切り込みの中央部には、前記第１の底部を前記第２の底部に係合する第１の係合部と、前記第２の底部を前記第１の底部に係合する第２の係合部とが形成されており、
前記底面の他方の対向する角部から前記切り込みに向かって各々折曲線が設けられていることを特徴とする紙製陳列棚。
【発明の詳細な説明】
【技術分野】
【０００１】
本発明は、店頭などで販売する商品を簡易に陳列するために用いられる紙製の陳列棚に関する。
【背景技術】
【０００２】
従来、たとえば新しい商品を店頭で販売する場合に、人目を惹く陳列棚を段ボールなどの紙で簡易に製作して、この陳列棚に商品を一定期間陳列する場合がある。陳列棚を紙製とすることで陳列棚を軽くすることができ、陳列棚の各部品を平面状に折り畳み可能な構成とすることで、コンパクトに収納して保管、運搬することができる。
【先行技術文献】
【特許文献】
【０００３】
【特許文献１】特開２００８−２７２号公報
【発明の概要】
【発明が解決しようとする課題】
【０００４】
段ボールを用いて陳列棚を作成した場合には軽量化を図ることができるが、金属製の陳列棚や木製の陳列棚に比べて強度が低くなるので、菓子などの軽いもの陳列できるが、たとえば液体の洗剤や粉体の入浴剤などの重いものを多数並べて陳列することができなかった。
【０００５】
本発明は、従来のこのような問題点を解決するためになされたものであって、その目的は、各部品を平面状に折り畳んで収納することができ、液体洗剤などの重い商品でも陳列することができる紙製陳列棚を提供することにある。
【課題を解決するための手段及び発明の効果】
【０００６】
上記目的を達成するために、本発明の一の紙製陳列棚によれば、背板と前記背板の両側に各々連設される側板とを備え、折り畳み可能な陳列棚本体と、前記側板に固定される折り畳み可能な棚枠と、前記棚枠に載置され陳列物が陳列される棚板とを備えた紙製陳列棚において、前記棚枠は平面状に形成された下向きの係合部を備えており、前記係合部が、前記側板に形成され上向きに開口した孔部に係合して、前記係合部の基端部が前記孔部の開口部の周縁部に当接した状態で、前記棚枠が前記側板に固定されることを特徴とする。
【０００７】
上記構成によれば、陳列棚本体と棚枠とを平面状に折り畳んで、棚板とともにコンパクトに収納することができる。係合部を孔部に係合して、陳列棚本体に対して棚枠の位置決めをすることができる。係合部が孔部に係合したとき、平面状に形成された係合部の基端部が、孔部の開口部の周縁部に面接触して、陳列物の荷重を受けることができるので、液体洗剤などの重い商品でも陳列することができる。
【０００８】
また、前記係合部の基端部は折曲線が設けられており、前記係合部は前記折曲線で折り曲げられていることを特徴とする。
【０００９】
上記構成によれば、係合部のうち、折曲線から見て先端部分を孔部に係合させ、強度が高い折曲線の折り曲げ部近傍を孔部の開口部の周縁部に面接触させることができるので、一層重い陳列物を陳列することができる。
【００１０】
また、前記孔部の周縁部は、段ボールの波形形状に沿って切断した横断面で形成されていることを特徴とする。
【００１１】
上記構成によれば、孔部の周縁部は圧縮荷重に強いので、一層重い陳列物を陳列することができる。
【００１２】
また、前記側板は段ボールをコの字状に折り曲げて形成されており、前記孔部は前記側板の内側に形成される空間であることを特徴とする。
【００１３】
上記構成によれば、棚板が係合する側板の強度を向上させることができる。
【００１４】
また、背板と前記背板の両側に各々連設される側板とを備え、折り畳み可能な棚部材本体と、前記側板に固定される折り畳み可能な棚枠と、前記棚枠に載置され陳列物が陳列される棚板とを備えた紙製陳列棚において、前記側板は平面状に形成された上向きの係合部を備えており、前記係合部が、前記棚枠に形成され下向きに開口した孔部に係合して、前記係合部の基端部が前記孔部の周縁部に当接した状態で、前記棚枠が前記側板に固定されることを特徴とする。
【００１５】
上記構成によれば、棚部材本体と棚枠とを平面状に折り畳んで、棚板とともにコンパクトに収納することができる。係合部を孔部に係合して、棚部材本体に対して棚枠の位置決めをすることができる。係合部が孔部に係合したとき、平面状に形成された係合部の基端部が、孔部の開口部の周縁部に面接触して、陳列物の荷重を受けることができるので、液体洗剤などの重い商品でも陳列することができる。
【００１６】
また、前記孔部は前記棚枠の底面角部に形成されており、前記棚枠の側壁は、外壁部と、外壁部に連設され外壁部の内側に折り曲げられた内壁部とを備えており、前記孔部に係合した係合部は前記外壁部と前記内壁部との間に挿通されることを特徴とする。
【００１７】
上記構成によれば、前記外壁部と前記内壁部との間に係合部を挿通して、簡単に棚枠の位置決めをすることができる。
【００１８】
また、底面は、一方の対向する角部を連結する対角線上に形成された切り込みによって、第１の底部と第２の底部とに分割されており、前記切り込みの中央部には、前記第１の底部を前記第２の底部に係合する第１の係合部と、前記第２の底部を前記第１の底部に係合する第２の係合部とが形成されており、前記底面の他方の対向する角部から前記切り込みに向かって各々折曲線が設けられていることを特徴とする。
【００１９】
上記構成によれば、第１の底部と第２の底部とを上方に押すと、切り込み部分の隙間が次第に広くなり、第１の底部と第２の底部とが各々折曲線で上方に凸となる山形に折れ曲がる。第２の底部に係合している第１の係合部が第２の底部から離れ、第１の底部に係合している第２の係合部が第１の底部から離れて、第１の底部と第２の底部との係合が解除される。そして、第１の底部と第２の底部とが各々折曲線で二つ折りにされて平面状に折り畳まれる。このように、第１の係合部と第２の係合部とを係合して、簡単に長方形状の底面を形成することができ、収納するときには、第１の底部と第２の底部とを上方に押して簡単に平面状に折り畳むことができる。
【図面の簡単な説明】
【００２０】
【図１】第１の実施形態に係る陳列棚の構成部品を示す斜視図である。
【図２】背部壁の展開図である。
【図３】側部壁の展開図である。
【図４】芯材の展開図である。
【図５】正面カバーの展開図である。
【図６】陳列棚本体の背部壁と側部壁とが連結された状態を示す斜視図である。
【図７】井形部材の組み立て手順を示す斜視図である。
【図８】上段棚枠と中段棚枠との構成部品の展開図である。
【図９】上段棚枠と中段棚枠との組み立て手順を示す斜視図である。
【図１０】上段棚枠と中段棚枠との組み立て手順を示す斜視図である。
【図１１】上段棚枠と中段棚枠との組み立て手順を示す斜視図である。
【図１２】上段棚枠と中段棚枠との組み立て手順を示す斜視図である。
【図１３】上段棚枠と中段棚枠とが取り付けられた陳列棚本体の斜視図である。
【図１４】係合部が空間に係合した側部壁の断面図である。
【図１５】下段棚枠の構成部品の展開図である。
【図１６】下段棚枠の組み立て手順を示す斜視図である。
【図１７】下段棚枠の組み立て手順を示す斜視図である。
【図１８】下段棚枠の組み立て手順を示す斜視図である。
【図１９】下段棚枠が取り付けられた陳列棚本体の斜視図である。
【図２０】上段棚板、中段棚板、下段棚板の斜視図である。
【図２１】第２の実施形態に係る陳列棚の構成部品を示す斜視図である。
【図２２】本体壁の展開図である。
【図２３】側部壁の展開図である。
【図２４】底板の平面図である。
【図２５】棚部材本体の展開図である。
【図２６】底板の平面図である。
【図２７】上部棚の展開図である。
【図２８】底板の平面図である。
【図２９】上部棚の折り畳み手順を示す図である。
【図３０】上部棚の折り畳み手順を示す図である。
【図３１】上部棚の折り畳み手順を示す図である。
【図３２】上部棚が棚部材本体に係合した状態の断面図である。
【発明を実施するための形態】
【００２１】
以下、本発明の実施例を図１〜図３２に基づいて説明する。ただし、以下に示す実施例は、本発明の技術思想を具体化するための紙製陳列棚（以下、陳列棚という）を例示するものであって、陳列棚を以下のものに限定するものではない。また、本明細書は特許請求の範囲に示される部材を、実施の形態の部材に特定するものでは決してない。特に実施の形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
【００２２】
図１は、第１の実施形態に係る陳列棚１の構成部品を示す斜視図である。陳列棚１は、陳列棚本体２と、陳列棚本体２に取り付けられる棚を備えている。棚は、上段棚３、中段棚４、下段棚５の３段で構成されており、上段棚３、中段棚４、下段棚５は、各々上段棚枠６、中段棚枠７、下段棚枠８と、上段棚枠６、中段棚枠７、下段棚枠８に固定される上段棚板９、中段棚板１０、下段棚板１１とを備えている。
（陳列棚本体２）
【００２３】
陳列棚本体２は、背部壁１７と背部壁１７の両側部に連結される側部壁１８と、陳列棚本体２の下部に設置される井形台１９と、陳列棚本体２の正面下部を覆う正面カバー２０とを備えている。
【００２４】
図２は背部壁１７の展開図を示す。背面壁１７は、背面２１と、背面２１の側部に折り曲げ可能に連設された接続部２２と、背面２１の上部に折り曲げ可能に連設された折曲部２３と、折曲部２３に連設された折り曲げ片２４とを備える。
【００２５】
図３は側部壁１８の展開図を示し、図４は芯材３７の展開図を示す。側部壁１８は、内側壁２９と、外側壁３０と、外側壁３０に折り曲げ可能に連設される接続部３１，３２と、内側壁２９と外側壁３０とを接続する接続部３３と、折曲部３４，３５とを備えている。側部壁１８は接続部３３を介して内側壁２９と外側壁３０とが対向するように断面がコの字状に折り曲げられ、コの字の内側に平面状の芯材３７が挿入されている。
【００２６】
内側壁２９には、上段棚枠６と中段棚枠７とに設けられた係合部３８が係合する細長な開口部３９が設けられており、開口部３９の上部側には折り曲げ可能なフラップ４０が設けられている。芯材３７には、開口部３９から下方に向かって空間４２が形成されており、この内側壁２９と外側壁３０とに挟まれた空間４２に係合部３８が係合する。また、側部壁１８と芯材３７とには後述するプラねじが挿通される孔部４３，４４が設けられている。
【００２７】
図５は正面カバー２０の展開図を示す。正面カバー２０は、陳列棚本体２の正面下部を覆うカバー面４９と、カバー面４９の側部に折り曲げ可能に連設される接続部５０と、カバー面４９の上部に折り曲げ可能に連設される折曲部５１，５２とを備える。
【００２８】
図６は陳列棚本体２の背部壁１７と側部壁１８とが連結された状態を示す。背部壁１７の接続部２２に一方の側部壁１８の接続部３１が貼付され、背部壁１７の背面２１側部に他方の側部壁１８の接続部３１が貼付される。側部壁１８は背部壁１７に折り曲げ可能に接続される。
【００２９】
図７は井形部材５５，５６の組み立て手順を示す斜視図である。背部壁１７と側部壁１８とが接続された陳列棚本体２の背面壁１７には井形台１９が貼付される。井形台１９は２枚の井形部材５５，５６を井形に組んで形成される。井形台１９が貼付された陳列棚本体２には正面カバー２０が貼付される。正面カバー２０は、接続部５０が他方の側部壁１８の接続部３１に貼付され、カバー面４９の側部が一方の側部壁１８に貼付される。このようにして作成された陳列棚本体２は、背部壁１７と一方の側部壁１８とが平面状となるようにコンパクトに折り畳むことができる。
（棚）
【００３０】
図８は上段棚枠６と中段棚枠７との構成部品の展開図である。上・中段棚枠６，７は２つの棚枠材６１を用いて作成される。棚枠材６１は底壁６３を備えており、底壁６３には係合部３８が挿通される細長な孔部６４が設けられている。底壁６３の一方の辺には折曲線６５を介して折り曲げ可能な外壁部６６が連設されており、外壁部６６の外側には折曲線６７，６８を介して内壁部６９が折り曲げ可能に連設されている。内壁部６９の外側には折曲線７０，７１を介して折り曲げ可能な折曲部７２が連設されている。外壁部６６の両側には折曲線７５を介して折曲片７６が折り曲げ可能に連設されており、この折曲片７６にはプラねじが挿通される孔部７７が設けられている。
【００３１】
底壁６３の他方の辺には折曲線８１，８２を介して折り曲げ可能な外壁部８３が連設されており、外壁部８３の外側には折曲線８４，８５を介して内壁部８６が折り曲げ可能に連設されている。外壁部８３と内壁部８６との両端部には各々プラねじが挿通される孔部８７が設けられている。
【００３２】
棚枠材６１の組立手順について説明する。樹脂製の補強板９１を外部壁６６に糊付けした状態で、底壁６３の孔部６４には係合部３８が取り付けられる。このときの状態を図９に示す。係合部３８は、底壁６３の表面側に貼り付けられる貼付面９７と、折曲線９８，９９を介して貼付面９７に連設され、貼付面９７と向かい合わせに折り曲げられ底壁６３の裏面側に糊付けされる貼付面１００と、折曲線１０１を介して貼付面１００に連設され、側部壁１８の空間４２に係合する係合片１０２とを備えている。
【００３３】
次に折曲部７２を折曲線７０，７１で折り曲げ、折曲部７２が折り畳まれた内壁部６９を外部壁６６側に折り畳む。補強板９１の両端部には折曲線９２を介して折り曲げ可能な折曲片９３が設けられており、この折曲片９３にはプラねじが挿通される孔部９４が設けられている。補強板９１は外部壁６６と折曲部７２との間に挟まれた状態で糊付けされ、外部壁６６の両側から折曲片９３が突出している。この状態で棚枠材６１の底壁６３に対して外壁部６６を折曲線６５で垂直に折り曲げ、折曲片７６と折曲片９３とを外壁部６６に対して垂直に内側に折り曲げる。このときの状態を図１０に示す。そして２つの棚枠材６１は、底壁６３の凸部１０３同士が噛み合わされて長方形の箱状に形成される。このときの上・中段棚枠６，７を図１１に示す。
【００３４】
つぎに、底壁６３の他方の辺に連設された外部壁８３を折曲線８１，８２で底壁６３に対して垂直に折り曲げ、さらに、内部壁８６を折曲線８４，８５で内側に折り曲げて、外部壁８３と内部壁８６との間に補強板９１の折曲片９３と外部壁８３の折曲片７６とを挟み込んで糊付けする。なお、補強板９１の孔部９４と、外壁部６６の折曲片７６の孔部７７と、外壁部８３と内壁部８６との両端部の孔部８７とは、孔位置が揃っている。このようにして形成される上・中段棚枠を図１２に示す。
【００３５】
図１３は上・中段棚枠６，７が取り付けられた陳列棚本体２の斜視図である。図１４は係合部３８が空間４２に係合した側部壁１８の断面図である。上・中段棚枠６，７の係合部３８は、側部壁１８の開口部３９から側部壁１８の内部に挿入され、被係合部である芯材３７の空間４２に係合する。このとき、係合部３８の幅広な貼付面１００が空間４２の周縁部を構成する開口部３９の下辺１０４に当接している。そして貼付面１００に折曲線１０１を介して折り曲げ可能に連設された係合片１０２が空間４２に係合している。開口部３９の下辺１０４は段ボールの波形形状に沿って切断した横断面であるので大きな圧縮力を受けることができる。さらに貼付面１００は幅広に形成されており、広い面積で開口部３９の下辺１０４に当接するので大きな荷重を受けることができる。
【００３６】
空間４２に係合片１０２が係合したとき、折曲線１０１の折曲部が開口部３９の下辺に当接しており、係合辺１０２の外面１０５が外側壁３０に当接している。これによって、上・中段棚枠６，７に大きな荷重が掛かったとき、係合部３８が、被係合部である空間４２から抜け落ちることを防止することができる。なお、上・中下段棚枠６，７はプラねじで陳列棚本体２にねじ止めされる。
【００３７】
図１５は下段棚枠８の構成部品の展開図である。下段棚枠８は２つの棚枠材１１１を用いて作成される。棚枠材１１１は底壁６３を備えている。底壁６３の一方の辺には折曲線６５を介して折り曲げ可能な外壁部６６が連設されており、外壁部６６の外側には折曲線６７，６８を介して内壁部６９が折り曲げ可能に連設されている。内壁部６９の外側には折曲線７０，７１を介して折り曲げ可能な折曲部７２が連設されている。外壁部６６の両側には折曲線７５を介して折曲片７６が折り曲げ可能に連設されており、この折曲片７６にはプラねじが挿通される孔部７７が設けられている。
【００３８】
底壁６３の他方の辺には折曲線８１，８２を介して折り曲げ可能な外壁部８３が連設されており、外壁部８３の外側には折曲線８４，８５を介して内壁部８６が折り曲げ可能に連設されている。外壁部８３と内壁部８６との両端部には各々プラねじが挿通される孔部８７が設けられている。
【００３９】
棚枠材１１１の組立手順について説明する。樹脂製の補強板９１を外部壁６６に糊付けする。（図１６参照）。次に折曲部７２を折曲線７０，７１で折り曲げ、折曲部７２が折り畳まれた内壁部６９を外部壁６６側に折り畳む。補強板９１の両端部には折曲線９２を介して折り曲げ可能な折曲片９３が設けられており、この折曲片９３にはプラねじが挿通される孔部９４が設けられている。補強板９１は外部壁６６と折曲部７２との間に挟まれた状態で糊付けされ、外部壁６６の両側から折曲片９３が突出している。この状態で棚枠材１１１の底壁６３に対して外壁部６６を折曲線６５で垂直に折り曲げ、折曲片７６と折曲片９３とを外壁部６６に対して垂直に内側に折り曲げる。そして２つの棚枠材１１１は、底壁６３の凸部１０３同士が噛み合わされて長方形の箱状に形成される。このときの下段棚枠８を図１７に示す。
【００４０】
つぎに、底壁６３の他方の辺に連設された外部壁８３を折曲線８１，８２で底壁６３に対して垂直に折り曲げ、さらに、内部壁８６を折曲線８４，８５で内側に折り曲げて、外部壁８３と内部壁８６との間に補強板９１の折曲片９３と外部壁８３の折曲片７６とを挟み込んで糊付けする。なお、補強板９１の孔部９４と、外壁部６６の折曲片７６の孔部７７と、外壁部８３と内壁部８６との両端部の孔部８７とは、孔位置が揃っている。このようにして形成される下段棚枠８を図１８に示す。図１９は下段棚枠８が取り付けられた陳列棚本体２の斜視図である。下段棚枠８は、陳列棚本体２の井形台１９と、正面カバー２０の折曲部５１とに当接した状態で載置され、陳列棚本体２にプラねじでねじ止めされる。
【００４１】
図２０は上段棚板９、中段棚板１０、下段棚板１１の斜視図である。陳列棚本体２に取り付けられた上段棚枠６、中段棚枠７、下段棚枠８には、各々上段棚板９、中段棚板１０、下段棚板１１が載置される。上段棚板９、中段棚板１０、下段棚板１１は、液体洗剤などの重い陳列物の荷重を受けても変形しないように、中芯が複数枚の段ボールで構成されている。
【００４２】
図２１は、第２の実施形態に係る陳列棚１２１の構成部品を示す斜視図である。陳列棚１２１は、陳列棚本体１２２と、陳列棚本体１２２に載置される棚部材１２３とで構成される。棚部材１２３は、棚部材本体１２４と、棚部材本体１２４に取り付けられる棚枠である上部棚１２５を備えている。また、陳列棚１２１は、棚部材本体１２４と、棚部材本体１２４に取り付けられる上部棚１２５と、棚板２０５とで構成することもできる。
（陳列棚本体１２２）
【００４３】
陳列棚本体１２２は、本体壁１２８と、本体壁１２８の両側部に連結される側部壁１２９と、底部に載置される底板１５３とを備えている。図２２は本体壁１２８の展開図を示す。本体壁１２８は、背板１３５と、背板１３５に折り曲げ可能に連設される底面１３６とを備えている。底面１３６には、正面内側面１３７が折り曲げ可能に連設されており、正面内側面１３７にはさらに正面外側面１３８が連設されている。背板１３５には、背部折曲面１３９が折り曲げ可能に連設されており、背部折曲面１３９には折曲片１４０が折り曲げ可能に連設されている。底面１３６には、一方の対角線上に切り込み１４１が設けられており、切り込み１４１の中央部は係合部１４２が形成されている。切り込み１４１が設けられていない他方の角部から切り込み１４１に向かって折曲線１５４が設けられている。図２３は側部壁１２９の展開図を示す。側部壁１２９は、側板１４７と、側板１４７に連設される糊代１４８，１４９と、舌片１５０とを備えている。
【００４４】
陳列棚本体１２２の組立手順を説明する。底面１３６に対して背面１３５を垂直に折り曲げ、さらに底面１３６に対して正面内側面１３７を垂直に折り曲げて、本体壁１２８を形成する。側面１４７に対して糊代１４８，１４９と舌片１５０とを垂直に折り曲げて側部壁１２９を形成する。側面１４７の糊代１４８，１４９を背板１３５と底面１３６とに糊付けし、舌片１５０を正面内側面１３７に糊付けする。そして正面外側面１３８を外側に折り曲げて舌片１５０を覆い、正面内側面１３７に糊付けする。折曲片１４０が背部折曲面１３９の内側に折り込まれた状態で、背部折曲面１３９を後方に折り曲げて、背板１３５に糊付けする。底面１３６には底板１５３（図２４参照）を載置する。陳列棚本体１２２は、底面１３６の係合部１４２の係合を解除して平面状に折り畳み可能である。陳列棚本体１２２の折り畳み手順については、後述する上部棚１２５の折り畳み手順を参照のこと。
（棚部材１２３）
【００４５】
図２５は棚部材本体１２４の展開図を示す。棚部材本体１２４は、背板１５７と、背板１５７の両側に折り曲げ可能に連設される側板１５８を備えている。一方側の側板１５８には、正面外側面１５９と、正面外側面１５９に折り曲げ可能に連設される正面内側面１６０と、正面内側面１６０に折り曲げ可能に連設される折曲片１６１を備えている。他方側の側面１５８下部には、舌片１６２が折り曲げ可能に設けられている。背板１５７と側板１５８と正面外側面１５９との下部には、底部を形成する底部形成用フラップ１６３，１６４，１６５が折り曲げ可能に連設されている。側板１５８の上部には折曲線１６７で折り曲げ可能な細長な係合部である舌片１６８が設けられており、この舌片１６８は上部棚１２５に係合して上部棚１２５を固定する。
【００４６】
棚部材本体１２４の組立手順を説明する。一方側の側板１５８を背板１５７に対して垂直に折り曲げ、他方側の側板１５８を背板１５７に対して垂直に折り曲げる。さらに正面外側面１５９を、一方側の側板１５８に対して垂直に折り曲げ、他方側の側板１５８に連設された舌片１６２を正面外側面１５９に糊付けする。さらに折曲片１６１を正面内側面１６０に対して内側に折り曲げ、折曲片１６１とともに正面内側面１６０を正面外側面１５９の内側に折り曲げる。背板１５７と側板１５８と正面外側面１５９との下部に連設された底部形成用フラップ１６３，１６４，１６５で底部を形成する。棚部材本体１２４の底部には底板１７０（図２６参照）が載置される。底板１７０の端部には凸部１７１が形成されており、この凸部１７１が背板１５７下部の切り込み１７２と正面内側面１６０の下部とに係合して固定される。
【００４７】
図２７は上部棚１２５の展開図を示す。上部棚１２５は、底面１８１の一方の対向する２辺には折り曲げ可能に外壁部１８２，１８３が連設されており、外壁部１８２，１８３の外側には折り曲げ可能に内壁部１８４，１８５が連設されている。底面１８１の他方の対向する２辺には折り曲げ可能に外壁部１８６，１８７が連設されており、外壁部１８６，１８７の外側には折り曲げ可能に内壁部１８８，１８９が連設されている。外壁部１８２，１８３ ,１８６，１８７と内壁部１８４，１８５１８８，１８９とで側壁が形成される。外壁部１８２，１８３と外壁部１８６，１８７との側部間には折曲片１９２が折り曲げ可能に設けられている。
【００４８】
底面１８１は対角線上に形成された切り込み１９３によって、第１の底部である底部１８１ａと、第２の底部である底部１８１ｂとに分割されている。切り込み１９３の中央部には、底部１８１ａを底部１８１ｂに係合する第１の係合部１９４ａと、底部１８１ｂを底部１８１ａに係合する第２の係合部１９４ｂとが形成されており、他方の対向する角部から切り込み１９３に向かって折曲線１９５が各々設けられている。内壁部１８８，１８９の端面には凸部１９６が形成されており、底面１８１と外壁部１８６，１８７とを連結する折曲線１９７上には、凸部１９６が係合する切り欠き１９８が設けられている。さらに、折曲線１９７上の中央部には、棚部材本体１２４の舌片１６８が係合する細長な孔部である切り欠き１９９が設けられている。
【００４９】
上部棚１２５の組立手順を説明する。底面１８１に対して一方側の外壁部１８２，１８３を垂直に折り曲げ、内壁部１８４，１８５を内側に折り曲げて外壁部１８２，１８３に糊付けする。さらに底面１８１に対して他方側の外壁部１８６，１８７を垂直に折り曲げる。このとき折り曲げ片１９２は、対角線上の折曲線２００で折れ曲がり、外壁部１８６，１８７の内側に位置している。次に、内壁部１８８，１８９を内側に折り曲げて、折曲片１９２を外壁部１８６，１８７と内壁部１８８，１８９との間に挟み込んだ状態で、内壁部１８８，１８９の端部の凸部１９６を切り欠き１９８に係合させて、内壁部１８８，１８９を外壁部１８６，１８７に糊付けする。
【００５０】
図２９〜図３１は上部棚１２５の折り畳み手順を示す図である。上部棚１２５は、平面状に折り畳むことができる。底部１８１ａと底部１８１ｂとを下面側から上方に押すと、底部１８１ａと底部１８１ｂとは折曲線１９５で折れ曲がり、上方に凸となる山形となる。切り込み１９３部分の隙間２１０が広がり、底部１８１ｂに係合している第１の係合部１９４ａが底部１８１ｂから離れ、底部１８１ａに係合している第２の係合部１９４ｂが底部１８１ａから離れて、底部１８１ａと底部１８１ｂとの係合が解除される。そして、折曲線１９５が設けられた角部２１１と角部２１２との間の距離が長くなり、切り込み１９３が設けられた角部２１３と角部２１４との間の距離が短くなる。折曲線１９５が設けられた一方の角部２１１を構成する側壁２１５と２１６とが一直線上に位置し、折曲線１９５が設けられた他方の角部２１２を構成する側壁２１７と２１８とが一直線上に位置するようになる。このように、上部棚１２５を使用するときには、第１の係合部１９４ａと第２の係合部１９４ｂとを簡単に係合して長方形状の底面１８１を形成することができ、上部棚１２５を収納するときには、底部１８１ａと底部１８１ｂとを上方に押して簡単に平面状に折り畳むことができる。
【００５１】
図３２は上部棚１２５の切り欠き１９９に棚部材本体１２４の舌片１６８が係合した状態の断面図である。棚板２０５が載置された上部棚１２５は棚部材本体１２４に取り付けられる。棚部材本体１２４の切り欠き１９９に棚部材本体１２４の舌片１６８が係合して固定される。このとき、上部棚１２５の切り欠き１９９の外側の辺２０９が舌片１６８の基端部に係合して安定した状態で固定されており、陳列物の荷重によって上部棚１２５が棚部材本体１２４から脱落することを防止することができる。
【産業上の利用可能性】
【００５２】
本発明の紙製陳列棚は、店頭などで新しい商品を陳列する場合に、人目を惹く陳列棚を段ボールなどの紙を用いて簡易に製作して商品を陳列する陳列棚として好適に利用できる。
【符号の説明】
【００５３】
１…陳列棚
２…陳列棚本体
３…上段棚
４…中段棚
５…下段棚
６…上段棚枠
７…中段棚枠
８…下段棚枠
９…上段棚板
１０…中段棚板
１１…下段棚板
１７…背部壁
１８…側部壁
１９…井形台
２０…正面カバー
２１…背面
２２…連結部
２３…折曲部
２４，７６，９３，１４０，１６１，１９２…折曲片
２９…内側壁
３０…外側壁
３１，３２，３３…接続部
３４，３５…折曲部
３７…芯材
３８…係合部
３９…開口部
４０…フラップ
４２…空間
４３，４４…孔部
４９…カバー面
５０…接続部
５１，５２…折曲部
５５，５６…井形部材
６１…棚枠材
６３…底壁
６４，７７，８７，９４…孔部
６５，６７，６８，７０，７１，７５，８１，８２，８４，８５，９２，９８，９９,１０１,１５４，１６７，１９５，１９７，２００…折曲線
６６，８３，１８２，１８３，１８６，１８７…外壁部
６９，８６，１８４，１８５，１８８，１８９…内壁部
７２…折曲部
９１…補強板
９７，１００…貼付面
１０２…係合片
１０４…下辺
１０５…外面
１１１…棚枠材
１２１…陳列棚
１２２…陳列棚本体
１２３…棚部材
１２４…棚部材本体
１２５…上部棚
１２８…本体壁
１２９…側部壁
１５３,１７０…底板
１３５，１５７…背板
１３６,１８１…底面
１３７，１６０…正面内側面
１３９…背部折曲面
１４１，１７２,１９３…切り込み
１４２…係合部
１４８，１４９…糊代
１５０，１６２，１６８…舌片
１４７,１５８…側板
１３８,１５９…正面外側面
１６３，１６４，１６５…底部形成用フラップ
１０３,１７１，１９６，２０６…凸部
１８１ａ,１８１ｂ…底部
１９４ａ…第１の係合部
１９４ｂ…第２の係合部
１９８，１９９…切り欠き
２０５…棚板
２０９…外側の辺
２１０…隙間
２１１,２１２,２１３,２１４…角部
２１５,２１６,２１７,２１８…側壁
【図１】
2015154795.tif 000003
【図２】
2015154795.tif 000004
【図３】
2015154795.tif 000005
【図４】
2015154795.tif 000006
【図５】
2015154795.tif 000007
【図６】
2015154795.tif 000008
【図７】
2015154795.tif 000009
【図８】
2015154795.tif 000010
【図９】
2015154795.tif 000011
【図１０】
2015154795.tif 000012
【図１１】
2015154795.tif 000013
【図１２】
2015154795.tif 000014
【図１３】
2015154795.tif 000015
【図１４】
2015154795.tif 000016
【図１５】
2015154795.tif 000017
【図１６】
2015154795.tif 000018
【図１７】
2015154795.tif 000019
【図１８】
2015154795.tif 000020
【図１９】
2015154795.tif 000021
【図２０】
2015154795.tif 000022
【図２１】
2015154795.tif 000023
【図２２】
2015154795.tif 000024
【図２３】
2015154795.tif 000025
【図２４】
2015154795.tif 000026
【図２５】
2015154795.tif 000027
【図２６】
2015154795.tif 000028
【図２７】
2015154795.tif 000029
【図２８】
2015154795.tif 000030
【図２９】
2015154795.tif 000031
【図３０】
2015154795.tif 000032
【図３１】
2015154795.tif 000033
【図３２】
2015154795.tif 000034